(57)【要約】【課題】財布その他の携帯品を着衣の任意の位置に簡単かつ確実に取り付ける。  【解決手段】クリップ１はフック２と紐５とを備え、フック２は、線材からなり、先端が鋭利で略逆Ｊ字形に形成された係止部３１と、係止部３１にリング部３２を介して連続し係止部３１の先端に向けて略Ｖ字形に折り返された基部３３と、基部３３に連続し係止部３１の内側に延びる係止端開閉部３４とを有するフック本体３と、筒状の部材からなり、基部３３に係止端開閉部３４を係止部３１の先端側に引き寄せつつ係止部３１にスライド可能に装着されたストッパー４とにより構成され、紐５により財布７に付設される。【選択図】図３
2010051415.tif 000002
【特許請求の範囲】
【請求項１】
フックと、前記フックに結合された紐、鎖その他の連結部材とを備え、前記連結部材を携帯品に固定されて当該携帯品に付設され、前記フックを着衣に係止することにより当該携帯品を着衣に繋ぐようにしたクリップにおいて、
前記フックは、
線材からなり、先端が鋭利で略逆Ｊ字形に形成された係止部と、前記係止部にリング部を介して連続し、前記係止部の先端に向けて略Ｖ字形又は略Ｕ字形に折り返された基部と、前記基部に連続し、前記係止部の内側に延びる係止端開閉部とを有する本体と、
筒状の部材からなり、前記基部に、前記係止端開閉部を前記係止部の先端側に引き寄せつつ前記係止部にスライド可能に装着されたストッパーと、
を備え、
財布、名札その他の携帯品に付設される、
ことを特徴とするクリップ。
【請求項２】
財布本体と、当該財布本体に付設され、当該財布本体を着衣に繋ぐためのクリップとを備えた財布において、
前記クリップに請求項１に記載のクリップを用いたことを特徴とする財布。
【請求項３】
財布本体は、矩形状の２面からなり、一方の側部に開口を有する扁平袋状の第１の紙幣収納部と、前記矩形状の２面上にそれぞれ形成され、一方の端部に開口を有する扁平袋状の第２、第３の紙幣収納部とを備える請求項２に記載の財布。
【請求項４】
第１、第２、第３の紙幣収納部は１枚の矩形状のシートにより一体に形成され、当該シートは片側一方の面上で三つ折りにして重合され、この重合により開口となった両端間の中心で二つ折りにするとともに前記両端を当該中心に向けて折り入れて重合されることにより、一方の端部に二つの開口を有し、一方の側部を分離され、他方の側部が連接された二つの袋が形成され、これらの袋間が開口端側及びその反対の閉塞端側で接着手段を介して接合される請求項３に記載の財布。
【請求項５】
少なくとも第１の紙幣収納部の一方の内面に、前記一方の内面との間で紙幣を挟持可能な押さえ部材を具備する請求項３に記載の財布。
【発明の詳細な説明】
【技術分野】
【０００１】
本発明は、財布、名札などの携帯品を着衣に吊り下げたり取り付けたりするのに使用するクリップ及びこれを用いた財布に関する。
【背景技術】
【０００２】
従来から、札入れなどの財布をズボンや上着のポケットに入れ損なうなどの落下による紛失や、ポケットからすり取られるなどの盗難から守るために、財布にクリップを付けることが提案されており、この種のクリップが例えば特許文献１に記載されている。この文献１に記載のものは、フックと、フックに結合された紐、鎖その他の連結部材とを備え、連結部材を財布に固定してフックをズボンやバンドに止めるようになっている。
【０００３】
また、このように財布をクリップなどでズボンに止めていても、財布、特に札入れの場合には、必要な金種の紙幣を簡単に、間違いなく取り出せるようにすることが望ましい。従来から、札入れには、金種の区別ができるようにしたものがある。この種の札入れが特許文献２などに開示されており、この文献２の札入れでは、紙幣収納部の一部で紙幣の短辺の位置に切り欠きが設けられて、１万円札、５千円札、１千円札の紙幣の短辺が見えるようになっている。
【０００４】
【特許文献１】特開２００１−３７５２１公報
【特許文献２】特開昭６１−１１８４１７号公報
【発明の開示】
【発明が解決しようとする課題】
【０００５】
しかしながら、上記従来の財布用のクリップでは、フックが基本的にズボンやバンドに止める構造になっているため、フックの係止位置が限定され、フックを着衣の任意の位置に固定することができない。また、このクリップの場合、財布をポケットから落としたり盗み取られたりしないようにするためのもので、財布それ自体をポケットの中に入れておくことを前提にしているために、財布の盗難を確実に防止するため、財布を例えばシャツの下の肌着に吊り下げるなど、着衣の任意の位置に取り付けることまではまったく考慮されていない。
【０００６】
一方、このようなクリップを財布に取り付けていても、異なる金種の紙幣を一つの紙幣収納部に収納していると、たとえ紙幣収納部の一部に紙幣の短辺が見える切り欠きが設けられて、金種の区別ができるようになっていても、紙幣を取り出すときに、必要な金種の紙幣を必要なだけ取り出すのに手間がかかったり間違ったりしやすく、これでは、クリップが財布の紛失や盗難を防止するためのものであっても、その効果は低下せざるを得ない。
【０００７】
本発明は、このような従来の問題を解決するもので、この種のクリップにおいて、財布、名札その他の携帯品を着衣の任意の位置に簡単かつ確実に取り付けることのできるクリップを提供すること、そして、このクリップを用い、このクリップによる効果を最大限に発揮することのできる財布を提供すること、を目的とする。
【課題を解決するための手段】
【０００８】
上記目的を達成するために、本発明のクリップは、フックと、前記フックに結合された紐、鎖その他の連結部材とを備え、前記連結部材を携帯品に固定されて当該携帯品に付設され、前記フックを着衣に係止することにより当該携帯品を着衣に繋ぐようにしたクリップにおいて、前記フックは、線材からなり、先端が鋭利で略逆Ｊ字形に形成された係止部と、前記係止部にリング部を介して連続し、前記係止部の先端に向けて略Ｖ字形又は略Ｕ字形に折り返された基部と、前記基部に連続し、前記係止部の内側に延びる係止端開閉部とを有する本体と、筒状の部材からなり、前記基部に、前記係止端開閉部を前記係止部の先端側に引き寄せつつ前記係止部にスライド可能に装着されたストッパーと、を備え、  財布、名札その他の携帯品に付設される、ことを要旨とする。
【０００９】
本発明の財布は、財布本体と、当該財布本体に付設され、当該財布本体を着衣に繋ぐためのクリップとを備えた財布において、前記クリップに前段落０００８に記載のクリップを用いた、ことを要旨とする。
この場合、
（１）財布本体は、矩形状の２面からなり、一方の側部に開口を有する扁平袋状の第１の紙幣収納部と、前記矩形状の２面上にそれぞれ形成され、一方の端部に開口を有する扁平袋状の第２、第３の紙幣収納部とを備える。
（２）上記（１）において、第１、第２、第３の紙幣収納部は１枚の矩形状のシートにより一体に形成され、当該シートは片側一方の面上で三つ折りにして重合され、この重合により開口となった両端間の中心で二つ折りにするとともに前記両端を当該中心に向けて折り入れて重合されることにより、一方の端部に二つの開口を有し、一方の側部を分離され、他方の側部が連接された二つの袋が形成され、これらの袋間が開口端側及びその反対の閉塞端側で接着手段を介して接合される。
（３）上記（１）において、少なくとも第１の紙幣収納部の一方の内面に、前記一方の内面との間で紙幣を挟持可能な押さえ部材を具備する。
【発明の効果】
【００１０】
本発明のクリップでは、フックの係止部を着衣の任意の位置に差し通し、ストッパーをフックの基部から係止部の先端側にスライドさせると、このストッパーの案内によりフックの係止端開閉部が係止部の先端側に引き寄せられ、このときの係止端開閉部のばね作用により、係止部の先端側と係止端開閉部との間でストッパーを引っ張り合って、ストッパーが係止部の先端側と係止端開閉部との間に固定され、これによりフックが閉じた状態となって、着衣から抜け止めされる。このようにしてクリップを着衣の任意の位置に簡単かつ迅速に係止することができ、このクリップを付設した携帯品を着衣の任意の位置に簡単かつ確実に吊り下げ又は取り付けることができる。また、この状態から、ストッパーをフックの係止部の先端側から基部にスライドさせると、フックの係止端開閉部は弾性復帰により、係止部の先端側から離れ、フックが開いた状態となって、フックの係止部を着衣から簡単かつ迅速に抜き取ることができ、着衣の任意の位置に取り付けた携帯品を簡単かつ確実に取り外すことができる。したがって、このクリップによれば、財布、名札その他の携帯品を着衣の任意の位置に簡単かつ確実に取り付けて、財布の紛失や盗難を確実に防止することができ、名札を着衣の任意の位置に簡単かつ確実に取り付け、また簡単に取り外すことができる。
【００１１】
本発明の財布は、上記のクリップを用いるので、上記のとおりの作用効果を奏する。この場合、財布は、一方の側部に開口を有する扁平袋状の第１の紙幣収納部と、一方の端部に開口を有する扁平袋状の第２、第３の紙幣収納部とを備えるので、異なる金種の紙幣を金種別に分けて、各紙幣収納部に差し込めばよく、各紙幣収納部の扁平袋形状により、各紙幣収納部に金種別の紙幣を確実に保持することができる。これにより、必要な金種の紙幣を当該紙幣を収容した紙幣収納部に指先を差し込んで引き抜き、必要な分だけ取り出すことができる。この場合に、余剰の紙幣があれば、当該紙幣の紙幣収納部に戻し入れればよい。このようにこの財布によれば、各金種の紙幣を容易に取り出すことができるので、この財布をクリップで手が届く範囲であれば着衣のどのような位置に取り付けても、各金種の紙幣を容易に取り出すことができる。したがって、この財布によれば、クリップによる上記の効果を最大限に発揮することができる。また、この財布は１枚の矩形状のシートから上記の折り畳み形式で一体に形成でき、このようにして形成された財布は薄形軽量で、クリップにより着衣の任意の位置にコンパクトに取り付けることができ、この点でも、クリップによる上記の効果を最大限に発揮することができる。さらに、紙幣収納部に押さえ部材を設け、この押さえ部材により紙幣収納部の中の紙幣を押さえることで、紙幣収納部の中の紙幣を確実に保持することができる。この場合、紙幣収納部の中で直ぐに使う予定のない紙幣はこの押さえ部材を使用して押さえておき、直ぐに使う予定の紙幣はこの押さえ部材で押さえないでおけば、この財布をクリップで着衣の任意の位置に取り付けても、直ぐに使う紙幣のみを容易に取り出すことができ、この点でも、クリップによる上記の効果を最大限に発揮することができる。
【発明を実施するための最良の形態】
【００１２】
次に、この発明を実施するための最良の形態について図を用いて説明する。図１にこの発明によるクリップの一実施の形態を示している。図１に示すように、クリップ１はフック２とフック２に結合された連結部材５とを備えて構成される。
【００１３】
フック２はフック本体３とストッパー４とにより構成される。フック本体３は、ステンレス鋼その他の金属製の線材からなり、先端が鋭利で略逆Ｊ字形に折り曲げ形成された係止部３１と、係止部３１に連続して係止部３１先端と同じ側に内側から外側に向けて一巻きされたリング部３２と、リング部３２に連続して係止部３１先端に向けて略Ｖ字形に折り返された基部３３と、基部３３に連続して係止部３１の内側（係止部３１の先端側の直線部分３１１とその反対側の直線部分３１２との間）に向けて斜めに延びる係止端開閉部３４とを有する。この場合、係止部３１の先端が延びる方向と係止端開閉部３４が延びる方向との間のなす角度は３０°から４５°の範囲内で最適な値が好ましく、この実施の形態では４５°に設定してある。また、係止端開閉部３４の先端は係止部３１の先端側の直線部分３１１とは反対側の直線部分３１２に接触しないように少し間隔を持たせることが好ましく、この実施の形態では当該直線部分から１、２ｍｍ程度離してある。ストッパー４は、弾性変形可能な合成樹脂製の筒状部材からなり、所定の内径と長さを有して、フック本体３の基部３３（この場合、基部３３の折り曲げ部分を中心にして係止部３１先端に向けられた片側一方の直線状の部分３３１）に、係止端開閉部３４を係止部３１の先端側に引き寄せつつ係止部３１（この場合、係止部３１の先端側の直線部分３１１）にスライド可能に装着される。なお、このフック２の長さは成人の人差し指の指先から第１関節乃至第２関節までの範囲、幅は人差し指の指幅の半分程度で、フック２全体が片手の指先で持ちやすい大きさになっており、フック２全体の構造と併せて、フック２を片手の指先で持ち、フック本体３の係止部３１を着衣の任意の位置に掛けやすく、ストッパー４を片手の指先でフック本体３の基部３３から係止部３１の先端側へ又はその反対にスライド操作しやすくなっている。
【００１４】
一方、連結部材５は紐が使用される。この場合、紐５はナイロン製の細糸からなるものが好ましい。なお、紐５の長さは携帯品６を着衣にどのように繋ぐか、言い換えれば携帯品６をどのように身に付けるかによって異なる。例えば、携帯品６を着衣の任意の位置に吊り下げる又は取り付ける場合は、フック２の長さと略同じがそれよりも少し長いことが好ましい。また、携帯品６を上着やズボンのポケットに収納する状態で上着やズボンに繋ぐ場合には、携帯品６をポケットから取り出し、手元の位置で使用できるように紐５が手元の位置当たりまで延びる程度に長くすることが好ましい。このようにして紐５はフック本体３のリング部３２に結んで取り付けられる。
【００１５】
クリップ１はこのようにして構成され、連結部材５が財布、名札その他の携帯品６に固定されて当該携帯品６に付設され、フック２を着衣に着脱可能に取り付けて当該携帯品６を着衣に繋ぐようになっている。
【００１６】
このクリップ１を使って、携帯品６を着衣の任意の位置に繋ぐ場合、フック２を片手の指先で持ち、フック本体３の係止部３１を着衣の任意の位置に差し通し、ストッパー４を指先でフック本体３の基部３３から係止部３１の先端側に向けてスライド操作すればよい。このようにしてストッパー４をフック本体３の係止部３１にスライドさせると、図２に示すように、フック本体３の係止端開閉部３４が係止部３１の先端側に引き寄せられ、この係止端開閉部３４のばね作用により、係止部３１の先端側と係止端開閉部３４との間でストッパー４を引っ張り合って、ストッパー４が係止部３１の先端側と係止端開閉部３４との間に固定される。これによりフック本体３は閉じた状態となり、クリップ１が着衣から抜け止めされる。このようにクリップ１は片手で使いやすく、着衣のどこにでも簡単に素早く取り付けることができる。このクリップ１を例えば財布に付設した場合は、このクリップ１を使って、財布を着衣の任意の位置に簡単かつ迅速に繋ぐことができる。例えば、財布をシャツの下の肌着に吊り下げて、シャツの下に隠蔽することができ、このようにすることで、財布の紛失や盗難を確実に防止することができる。また、財布を上着やズボンのポケットの中に入れておく場合でも、クリップ１を上着やズボンの表から見えにくい任意の位置に取り付けることで、財布の紛失や盗難を確実に防止することができる。したがって、財布を安全に安心して携行することができる。なお、財布を着衣から取り外す場合は、フック２のストッパー４を片手の指先で係止部３１の先端側から基部３３にスライド操作することで、フック本体３の係止端開閉部３４が弾性復帰により係止部３１の先端側から離れ、フック本体３が開いた状態となって、片手でフック本体３の係止部３１を着衣から簡単に抜き取ることができる。このようにクリップ１を着衣から片手で簡単かつ迅速に取り外すことができる。また、このクリップ１を例えば名札に付設した場合は、このクリップ１を使って、名札を同様に着衣の任意の位置に簡単かつ迅速に取り付けることができ、またこの名札を着衣から簡単かつ迅速に取り外すことができる。
【００１７】
図３にこの発明による財布の一実施の形態を示している。図３に示すように、財布７は、財布本体８と、この財布本体８に付設され、この財布本体８を着衣に繋ぐためのクリップ９とを備えて構成され、クリップ９に既述のクリップ１が採用され、財布本体８に当該クリップ１による効果を最大限に発揮するための構成を備えている。なお、クリップ９（１）については既述のとおりなので、ここでは、図３中に図１で用いた符号を付してその重複した説明を省略し、財布本体８についてのみ説明する。
【００１８】
図４に示すように、財布本体８は、紙幣よりも少し大きい縦に長い矩形状の２面からなり、一方の側部に紙幣をその長い縁部から出し入れ可能な大きな開口８１０を有する扁平袋状の第１の紙幣収納部８１と、これら矩形状の２面上にそれぞれ形成され、一方の端部、この場合、上端部に紙幣をその短い縁部から出し入れ可能な小さな開口８２０、８３０を有する扁平袋状の第２、第３の紙幣収納部８２、８３と、少なくとも第１の紙幣収納部８１の一方の内面で開口８１０縁部又は開口８１０縁部付近の中央に開口８１０側とは反対方向に突設されて、当該一方の内面との間で紙幣を挟持可能な舌片状の紙幣押さえ部材８４と、上端部の第２、第３の紙幣収納部８２、８３の開口８２０、８３０間の中央に輪状に形成されて、クリップ９の紐５を挿通可能なクリップ固定部８５とを備える。
【００１９】
この財布本体８をなす、第１、第２、第３の紙幣収納部８１、８２、８３は１枚の矩形状のシートにより一体に形成される。なお、このシートの素材には和紙、皮、プラスチックなどが用いられる。この財布本体８の製造方法を図５乃至図７に示している。図５に示すように、シートＳは所定の大きさを有する縦方向に長い矩形状のもので、まず、このシートＳを片側一方の面上で三つ折りにして重合する。この場合、上の部分を中間の部分の上に折り、その上に下の部分を折り重ねて、上、中、下の各部分を重合する（第１の工程）。次に、図６に示すように、この重合により開口となった両端Ｓ１、Ｓ２間の中心位置Ｃで、この三つ折りのシートＳをさらに二つ折りにするとともに両端Ｓ１、Ｓ２を当該中心位置Ｃに向けて折り入れて（この場合、マチを考慮することが好ましい。）、重合する（第２の工程）。このようにして図７に示すように、一方の端部Ｓ３に二つの開口８２０、８３０を有し、一方の側部を分離し、他方の側部を連接した二つの袋８２１、８３１を形成する。そして、これらの袋８２１、８３１間を接着手段を介して接合する。この場合、二つの袋８２１、８３１の開口８２０、８３０の相互に隣接する開口内側縁部間に接着シート８６（この場合、接着剤が塗布された財布本体８と同じ素材からなる接着片）を跨ぎ接着し、その反対の各袋８２１、８３１の閉塞端間に同じ接着シート８６を跨ぎ接着する。これにより、財布本体８が出来上がる（第３の工程）。そして、財布本体８の第１の紙幣収納部８１に紙幣押さえ部材８４を取り付け、財布本体８の上端部にクリップ固定部８５を取り付ける。この場合、紙幣押さえ部材８４は財布本体８と同じ素材により細長い舌片状に形成され、一端を第１の紙幣収納部８１の片側一方の内面の開口８１０縁部又は開口８１０縁部付近の中央に接着剤を介して接合し、他端側を開口８１０とは反対方向に向けて突出させる。クリップ固定部８５は財布本体８と同じ素材により細長い帯状に形成され、長さ方向中心で二つに折り、二つ折りの中心を輪にして輪の両側を第２、第３の紙幣収納部８２、８３の開口８２０、８３０に差し込み、第２、第３の紙幣収納部８２、８３の開口８２０、８３０間中央で接着シート８６の上から接着剤を介して接着固定し、この固定部８５の輪を財布本体８の上端部から上方に向けて少し突出させる（第４の工程）。そして、このクリップ固定部８５にクリップ１の紐５を通して、クリップ１が財布本体８に付設される。
【００２０】
このようにして財布７が構成され、この財布７に上記のクリップ１を用いているので、このクリップ１による上記のとおりの作用効果を奏することができる。この場合に、財布本体８は、一方の側部に開口８１０を有する扁平袋状の第１の紙幣収納部８１と、一方の端部に開口８２０、８３０を有する扁平袋状の第２、第３の紙幣収納部８２、８３とを備えるので、異なる金種の紙幣を金種別に分けて、（紙幣は折り畳むことなく広げたまま）各紙幣収納部８１、８２、８３に差し込めばよく、各紙幣収納部８１、８２、８３の扁平袋形状により、各紙幣収納部８１、８２、８３に金種別の紙幣を確実にしかも折り目が付くことなく保持することができる。これにより、必要な金種の紙幣を当該紙幣を収容した紙幣収納部８１、８２、８３に片手の指先を差し込んで引き抜き、必要な金額だけ素早く取り出すことができる。このときに、余剰の紙幣があれば、当該紙幣の紙幣収納部８１、８２、８３に戻し入れればよい。このようにこの財布７によれば、必要な金種の紙幣を片手で容易かつ素早く出し入れすることができるので、この財布７をクリップ１で手が届く範囲であれば着衣のどのような位置に取り付けても、必要な金種の紙幣を容易かつ素早く出し入れすることができる。したがって、この財布７によれば、クリップ１による上記の作用効果を最大限に発揮することができる。また、この財布７は１枚の矩形状のシートＳから既述の折り畳み形式で一体に形成でき、このようにして形成された財布７は薄形軽量で、クリップ１により着衣の任意の位置にコンパクトに取り付けることができ、この点でも、クリップ１による上記の効果を最大限に発揮することができる。さらに、紙幣収納部８１に紙幣押さえ部材８４を設け、この紙幣押さえ部材８４により紙幣収納部８１の中の紙幣を押さえることで、紙幣収納部８１の中の紙幣を確実に保持することができる。この場合、紙幣収納部８１の中で直ぐに使う予定のない紙幣はこの押さえ部材８４を使用して押さえておき、直ぐに使う予定の紙幣はこの押さえ部材８４で押さえないでおけば、この財布７をクリップ１で着衣の任意の位置に取り付けても、直ぐに使う紙幣のみを容易に取り出すことができ、この点でも、クリップ１による上記の効果を最大限に発揮することができる。また、この財布７によれば、第１、第２、第３の各紙幣収納部８１、８２、８３に紙幣を折り畳むことなく広げた状態で収納できることから、紙幣が折れ曲がったりしわになったりすることがなく、各種の自動販売機や駅の券売機などの機械に紙幣をスムーズに投入することができ、さらに、第１、第２、第３の各紙幣収納部８１、８２、８３に所謂ピン札をそのままの状態で保持することができ、各種の祝儀や不祝儀に使用する紙幣の保存に有効となる利点がある。
【００２１】
なお、上記クリップ１に係る実施の形態では、フック本体３の基部３３を略Ｖ字形に折り返したが、略Ｕ字形に折り曲げてもよい。また、連結部材５に紐を用いているが、鎖その他の部材に代えてもよい。さらに、紐や鎖には装飾を施してもよい。このようにしても、上記と同様の作用効果を奏することができる。
【００２２】
また、上記財布に係る実施の形態では、紙幣押さえ部材８４を財布本体８の第１の紙幣収納部８１内にのみ設けたが、第１、第２、第３の紙幣収納部８１、８２、８３の全部又はいずれかの一部（一箇所若しくは二箇所）に設けることもできる。さらに、クリップ固定部８５を財布本体８の上端部に設けたが、第１の紙幣収納部８１の開口８１０縁部など財布本体８の側部に設けてもよく、紙幣の収納、出し入れに支障がない限り、クリップ固定部８５は財布本体８のどこに設けてもよい。このようにしても、上記と同様の作用効果を奏することができることは言うまでもない。
【図面の簡単な説明】
【００２３】
【図１】本発明の一実施の形態によるクリップを示す正面図
【図２】同クリップの使用時の状態を示す正面図
【図３】同クリップを用いた本発明の一実施の形態による財布を示す正面図
【図４】（ａ）同財布の平面図（ｂ）同財布の側面図（ｃ）同財布の正面図
【図５】同財布の財布本体の製造方法の第１の工程を示す図
【図６】同財布の財布本体の製造方法の第２の工程を示す図
【図７】同財布の財布本体の製造方法の第３、第４の工程を示す図
【符号の説明】
【００２４】
１  クリップ
２  フック
３  フック本体
３１  係止部
３１１、３１２  直線部分
３２  リング部
３３  基部
３３１  直線状の部分
３４  係止端開閉部
４  ストッパー
５  連結部材（紐）
６  携帯品
７  財布
８  財布本体
８１  第１の紙幣収納部
８１０  開口
８２  第２の紙幣収納部
８２０  開口
８２１  袋
８３  第３の紙幣収納部
８３０  開口
８３１  袋
８４  紙幣押さえ部材
８５  クリップ固定部
８６  接着シート
９  クリップ
Ｓ  シート
Ｓ１、Ｓ２  両端
Ｓ３  一方の端部
Ｃ  中心位置
【図１】
2010051415.tif 000003
【図２】
2010051415.tif 000004
【図３】
2010051415.tif 000005
【図４】
2010051415.tif 000006
【図５】
2010051415.tif 000007
【図６】
2010051415.tif 000008
【図７】
2010051415.tif 000009
【手続補正書】
【提出日】平成21年11月12日(2009.11.12)
【手続補正１】
【補正対象書類名】明細書
【補正対象項目名】０００４
【補正方法】変更
【補正の内容】
【０００４】
【特許文献１】特開２００１−３７５２１公報
【特許文献２】実開昭６１−１１８４１７号公報